(57)【要約】      （修正有）【課題】ライトスイッチノブ、固定ノブおよびフォグスイッチノブが隣接配置されたレバースイッチを組み立て容易な構成とする。【解決手段】ロックピース５０を保持するスライダブロック４０を１つのノブのスライダブロック収納部に保持し、ノブの回動に応じて軸方向に変位可能とし、ライトスイッチノブが「ヘッドライト」時以外はロックピースを対向するノブのロック穴に係合させてフォグスイッチノブをロックする。スライダブロックのロックピース保持部４１の壁にスリット４６を設け、ロックピースはスリットをスライドする突起５２を備え、スリットは上端を閉じてロックピースの脱落を阻止する。スライダブロックも同様に突起４５を備えてスライダブロック収納部の溝をスライドするが、溝の上端を閉じて脱落が阻止される。ロックピース、スライダブロックがノブにサブアセンブリされ、脱落の心配なく組立作業ができる。【選択図】図４
2010282875.tif 000002
【特許請求の範囲】
【請求項１】
レバーの軸方向にそって第１の回動ノブ、固定ノブおよび第２の回動ノブが隣接して配置され、第１の回動ノブは第１のスイッチ位置と第１のスイッチ位置以外の所定のスイッチ位置を有し、第２の回動ノブは第１のスイッチ位置と第２のスイッチ位置を有し、第１の回動ノブと第２の回動ノブの回動によりそれぞれ対応するスイッチ接点が切り換えられるレバースイッチにおいて、
前記固定ノブまたは第２の回動ノブの一方には軸方向に変位可能にスライダブロックを保持し、
前記第１の回動ノブとスライダブロックの間に当該第１の回動ノブとスライダブロックの相対回動に応じてスライダブロックを軸方向に変位させるカム機構を設け、
前記スライダブロックには、前記固定ノブまたは第２の回動ノブの他方に向けて突出方向に付勢されたロックピースが保持され、
前記固定ノブまたは第２の回動ノブの他方にはスライダブロックから突出する前記ロックピースと係合可能なロック穴を備え、
前記ロックピースと前記スライダブロックの間には、ロックピースの抜け止め手段が設けられ、
前記カム機構は、前記第１の回動ノブが当該第１の回動ノブの第１のスイッチ位置にあるときは前記スライダブロックを前記固定ノブまたは第２の回動ノブの他方側に変位させ、前記第１の回動ノブが当該第１の回動ノブの所定のスイッチ位置にあるときは前記スライダブロックを前記固定ノブまたは第２の回動ノブの他方から離間する側に変位させるものであり、
前記第１の回動ノブが当該第１の回動ノブの第１のスイッチ位置にあるときに前記ロックピースが前記ロック穴に係合し、第１の回動ノブが当該第１の回動ノブの所定のスイッチ位置にあるときに前記ロックピースが前記ロック穴との係合から解放されることを特徴とするレバースイッチのノブ回動ロック構造。
【請求項２】
前記スライダブロックを前記第２の回動ノブに保持し、
前記カム機構を、前記スライダブロックに形成されたカム面と、前記第１の回動ノブから前記固定ノブに形成された貫通穴を通って延び、先端を前記カム面に当接させたキャンセルレバーとで構成し、
前記ロックピースは、前記スライダブロックから前記固定ノブに向けて突出方向に付勢され、
前記ロック穴は前記固定ノブの前記第２の回動ノブに対向する面に設けて、
前記カム機構が、前記第１の回動ノブが当該第１の回動ノブの第１のスイッチ位置にあるときは前記スライダブロックを前記固定ノブ側に変位させ、前記第１の回動ノブが当該第１の回動ノブの所定のスイッチ位置にあるときは前記スライダブロックを前記固定ノブから離間する側に変位させることを特徴とする請求項１に記載のレバースイッチのノブ回動ロック構造。
【請求項３】
前記第１の回動ノブと第２の回動ノブの間には、第１の回動ノブを当該第１の回動ノブの第１のスイッチ位置へ回動する際に、第２の回動ノブが当該第２の回動ノブの第２のスイッチ位置にある場合に第２の回動ノブを当該第２の回動ノブの第１のスイッチ位置へ回動させる戻し機構が設けられていることを特徴とする請求項１または２に記載のレバースイッチのノブ回動ロック構造。
【請求項４】
前記カム面がスライダブロックの前記固定ノブに対向する面から軸方向に退避した底部に形成され、
前記戻し機構は、前記キャンセルレバーと、前記スライダブロックにおける前記固定ノブに対向する面から前記底部を結ぶ壁面とで構成し、
前記第１の回動ノブを当該第１の回動ノブの第１のスイッチ位置へ回動する際に、前記キャンセルレバーが前記スライダブロックにおける回動方向の前記壁面を押すことにより、前記スライダブロックを保持する前記第２の回動ノブを第２のスイッチ位置からその第１のスイッチ位置へ回動させることを特徴とする請求項３に記載のレバースイッチのノブ回動ロック構造。
【請求項５】
前記スライダブロックを前記固定ノブに保持し、
前記カム機構を、前記第１の回動ノブまたは前記スライダブロックの一方に形成したカム面と、前記第１の回動ノブまたは前記スライダブロックの他方に設けたカムフォロワとで構成し、
前記ロックピースは、前記スライダブロックから前記第２の回動ノブに向けて突出方向に付勢され、
前記ロック穴は前記第２の回動ノブの前記固定ノブに対向する面に設けて、
前記カム機構が、前記第１の回動ノブが当該第１の回動ノブの第１のスイッチ位置にあるときは前記スライダブロックを前記第２の回動ノブ側に変位させ、前記第１の回動ノブが当該第１の回動ノブの所定のスイッチ位置にあるときは前記スライダブロックを前記第２の回動ノブから離間する側に変位させることを特徴とする請求項１に記載のレバースイッチのノブ回動ロック構造。
【請求項６】
前記第１の回動ノブと第２の回動ノブの間には、第１の回動ノブを当該第１の回動ノブの第１のスイッチ位置へ回動する際に、第２の回動ノブが当該第２の回動ノブの第２のスイッチ位置にある場合に第２の回動ノブを当該第２の回動ノブの第１のスイッチ位置へ回動させる戻し機構が設けられていることを特徴とする請求項５に記載のレバースイッチのノブ回動ロック構造。
【請求項７】
前記レバーが前記固定ノブを固定した第１のレバーと、前記第１の回動ノブと一体回転する第２のレバーを含み、
前記戻し機構は、前記第２の回動ノブに形成した凹部と、前記第２のレバーに結合されて前記凹部内に延びるリリースピンとで構成し、
前記第１の回動ノブを当該第１の回動ノブの第１のスイッチ位置へ回動する際に、前記リリースピンが前記第２の回動ノブにおける凹部を画成する回動方向の壁面を押すことにより、前記第２の回動ノブを第２のスイッチ位置からその第１のスイッチ位置へ回動させることを特徴とする請求項６に記載のレバースイッチのノブ回動ロック構造。
【請求項８】
前記スライダブロックは穴形状のロックピース保持部を備え、該ロックピース保持部の壁には軸方向のスリットが設けられ、  前記ロックピースは側面に突起を備えて、該突起が前記スリットをスライドするように前記ロックピース保持部に組み付けられて、
前記スリットにおける前記ロックピース保持部の開口側を閉じることにより前記ロックピースの抜け止め手段が形成されていることを特徴とする請求項１から７のいずれか１に記載のレバースイッチのノブ回動ロック構造。
【請求項９】
前記スライダブロックは、前記固定ノブまたは第２の回動ノブの一方に形成されたスライダブロック収納部に収納され、
前記スライダブロックと前記スライダブロック収納部の間には、スライダブロックの抜け止め手段が設けられていることを特徴とする請求項１から８のいずれか１に記載のレバースイッチのノブ回動ロック構造。
【請求項１０】
前記スライダブロック収納部の側壁には軸方向の溝が設けられ、  前記スライダブロックは側面に突起を備えて、該突起が前記溝をスライドするように前記スライダブロック収納部に組み付けられて、
前記溝における前記スライダブロック収納部の開口側を閉じることにより前記スライダブロックの抜け止め手段が形成されていることを特徴とする請求項９に記載のレバースイッチのノブ回動ロック構造。
【発明の詳細な説明】
【技術分野】
【０００１】
本発明は、レバーの先端部に２つの回動ノブを備えるレバースイッチのノブ回動ロック構造に関する。
【背景技術】
【０００２】
車両には種々のスイッチが設置され、操作性向上のためその多くのスイッチをステアリングコラム部にいわゆるコンビネーションスイッチとして集中させるようにしている。このコンビネーションスイッチは操作レバーが付設されて、その操作により種々のスイッチを作動させるレバースイッチとして構成される。
例えば、ヘッドライト、テールライトのライト種切り換え用ロータリスイッチノブと、フォグライトの点滅用のロータリースイッチノブが同軸上に配置される。
【０００３】
ここで、ライト種切り換えロータリスイッチノブ（以下、ライトスイッチノブ）と、フォグライトの点滅用ロータリスイッチノブ（以下、フォグスイッチノブ）とが互いに独立的に操作できるようにした場合、ヘッドライトは点灯させずにフォグライトのみを点灯させたときフォグライトの消し忘れの虞がある。
このため、ヘッドライトのオン条件下のもとでだけフォグライトがオン可能であり、ヘッドライトがオフの状態では、フォグライトはオン操作できないようにしたものが提案されている。
このようなレバースイッチとして、例えば特許第３７４０３１６号公報に開示されたものがある。      
【０００４】
図１４は、特許第３７４０３１６号公報に開示されたノブ回動ロック構造の要部を示す。
操作レバーの端部近傍において、ライトスイッチノブ１４０、固定ノブ１３０、およびリヤフォグライト用のフォグスイッチノブ１５０が軸方向に隣接して配置される。図中、矢示Ｚはライトスイッチノブ１４０およびフォグスイッチノブ１５０の回動操作方向を示す。
固定ノブ１３０には、ロックリリースピース１６１が、ピース収納穴１２８内に収納されている。ロックリリースピース１６１はライトスイッチノブ１４０側にロック面１６４、ロック面１６４よりもライトスイッチノブ１４０側に突き出した非ロック面１６５、および両面１６４、１６５を連結する斜面１６６を備えている。
【０００５】
ロックリリースピース１６１とピース収納穴１２８の底部との間にはコイルスプリング１６７が配置され、ロックリリースピース１６１をライトスイッチノブ１４０から延びる突起１２２に対して常時当接させている。
固定ノブ１３０はフォグスイッチノブ１５０側の壁を貫通する挿通孔１７０を備え、ロックリリースピース１６１の下面からは突部１６９が延びて、挿通孔１７０内をスライド可能となっている。
フォグスイッチノブ１５０には、ロックピース１７２が収納穴１７１に配置されており、コイルスプリング１７３により、常時固定ノブ１３０側に付勢されている。ロックピース１７２は固定ノブ１３０の挿通孔１７０内に係入可能となっている。
【０００６】
ライトスイッチノブ１４０が「オフ」に位置し、フォグスイッチノブ１５０が「フォグオフ」に位置している場合、ヘッドライト、テールライト、リヤフォグライトは消灯している。
この状態では、ライトスイッチノブ１４０の突起１２２は、図１４の（ａ）に示すＰ１位置にあり、ロックリリースピース１６１は、コイルスプリング１６７の付勢力によりロック面１６４が突起１２２に当接するまでライトスイッチノブ１４０側へスライドする。これによりロックピース１７２がコイルスプリング１７３の付勢力によりロックリリースピース１６１の突部１６９に当接した状態で挿通孔１７０内に係入する。
したがって、フォグスイッチノブ１５０はロックピース１７２が挿通孔１７０と収納穴１７１の双方に係合してロックされ、回動操作が不能になっている。
【０００７】
次に、この状態から、ライトスイッチノブ１４０を「オフ」から「テールランプ」に回動すると、テールライトが点灯し、図１４の（ｂ）に示すように、突起１２２はＰ２位置に移動する。この状態においても、ロックピース１７２はロックされているため、フォグスイッチノブ１５０の回動操作が不能になっている。
【０００８】
次に、ライトスイッチノブ１４０を「テールランプ」から「ヘッドライト」位置に回動すると、ヘッドライトが点灯し、突起１２２は、図１４の（ｃ）に示すようにＰ３位置となる。ここでは、突起１２２がコイルスプリング１６７、１７３に抗してロックリリースピース１６１の非ロック面１６５を押圧するため、突部１６９の下面が固定ノブ１３０とフォグスイッチノブ１５０の対向面と略面一となる。この結果、ロックピース１７２が挿通孔１７０から押し出され、フォグスイッチノブ１５０の操作が可能となる。
したがって、（ｄ）に示すように、フォグスイッチノブ１５０を「フォグオフ」のＺ１位置から「フォグライト」のＺ２位置へ回動することができ、リヤフォグライトが点灯する。      
【０００９】
このあと、ライトスイッチノブ１４０を「テールランプ」位置へ戻し、突起１２２がロック面１６４に当接するＰ２位置になっても、図１４の（ｅ）に示すように、フォグスイッチノブ１５０の収納穴１７１に収納されたロックピース１７２は、固定ノブ１３０の対向面に当接しているだけであり、「フォグライト」位置を保持してリヤフォグライトの点灯を維持することができる。
【００１０】
以上のように、特許第３７４０３１６号公報に開示されたレバースイッチでは、ライトスイッチノブ１４０を「ヘッドライト」位置にしないと、フォグスイッチノブ１５０を操作することができず、ヘッドライトを点灯させない限り、リヤフォグライトの点灯が不可能である。これにより、例えばヘッドライト点灯を要しない明るい時間帯でリヤフォグライトのみを単独で点灯させて、後刻消灯忘れを招くようなおそれは解消される。
【先行技術文献】
【特許文献】
【００１１】
【特許文献１】特許第３７４０３１６号公報
【発明の概要】
【発明が解決しようとする課題】
【００１２】
ところで、上記従来のノブ回動ロック構造においては、レバースイッチの組立は以下の順序で行うことになる。
まずフォグスイッチノブ１５０をレバー上の所定位置に組み付ける。そして、ロックピース１７２をコイルスプリング１７３とともにフォグスイッチノブ１５０の収納穴１７１に挿入してから、固定ノブ１３０をフォグスイッチノブ１５０に重ねて取り付ける。次に、固定ノブ１３０のピース収納穴１２８にその底面との間にコイルスプリング１６７を挟んでロックリリースピース１６１を嵌めこむ。そしてその後にライトスイッチノブ１４０を組み付けることになる。
【００１３】
しかし、上記固定ノブ１３０をフォグスイッチノブ１５０に重ねて取り付けるに際しては、自由長に延びたコイルスプリング１７３によりロックピース１７２が収納穴１７１から脱落し易い。このため、脱落のないように注意しながら行わなければならないにもかかわらず、固定ノブ１３０の裏面に隠れるこれらロックピース１７２およびコイルスプリング１７３がとくに小さい部品であることから、同様にライトスイッチノブ１４０の裏側に隠れる比較的大サイズのロックリリースピース１６１とは異なり、確認が困難で時間を要するので、組み付け工数の増大により、高コストとなるという問題がある。
【００１４】
上述した従来例はリヤフォグライトの消灯忘れ防止にかかるものであるが、リヤフォグライトだけでなく、フロントやサイドのフォグライト、その他の複数種のライトのスイッチ間にも適用できるものであり、さらにはライト以外の複数装置のスイッチに適用する場合にも、同様の問題が残る。
したがって本発明は、上記従来の問題点に着目し組み立ての容易なレバースイッチのノブ回動ロック構造を提供することを目的とする。
【課題を解決するための手段】
【００１５】
このため、本発明は、
レバーの軸方向にそって第１の回動ノブ、固定ノブおよび第２の回動ノブが隣接して配置され、第１の回動ノブは第１のスイッチ位置および第１のスイッチ位置以外の所定のスイッチ位置を有し、第２の回動ノブは第１のスイッチ位置と第２のスイッチ位置とを有し、第１の回動ノブと第２の回動ノブの回動によりそれぞれ対応するスイッチ接点が切り換えられるレバースイッチにおいて、
固定ノブまたは第２の回動ノブの一方には軸方向に変位可能にスライダブロックを保持し、
回動に応じてスライダブロックを軸方向に変位させるカム機構を設け、
スライダブロックには、固定ノブまたは第２の回動ノブの他方に向けて突出方向に付勢されたロックピースが保持され、
固定ノブまたは第２の回動ノブの他方にはスライダブロックから突出するロックピースと係合可能なロック穴を備え、
ロックピースとスライダブロックの間には、ロックピースの抜け止め手段が設けられ、
カム機構は、第１の回動ノブが当該第１の回動ノブの第１のスイッチ位置にあるときはスライダブロックを固定ノブまたは第２の回動ノブの他方側に変位させ、第１の回動ノブが当該第１の回動ノブの所定のスイッチ位置にあるときはスライダブロックを固定ノブまたは第２の回動ノブの他方から離間する側に変位させるものであり、第１の回動ノブが当該第１の回動ノブの第１のスイッチ位置にあるときにロックピースがロック穴に係合し、第１の回動ノブが当該第１の回動ノブの所定のスイッチ位置にあるときにロックピースがロック穴との係合から解放されるものとした。
【発明の効果】
【００１６】
本発明によれば、第１の回動ノブがその所定のスイッチ位置になければ、第２の回動ノブを当該第２の回動ノブの第１のスイッチ位置から回動させようとしてもロックされていてその第２のスイッチ位置にすることができないから、後刻第２の回動ノブの第１のスイッチ位置への戻し忘れを招くようなおそれが解消される。
【００１７】
そして、ロックピースはスライダブロックに抜け止めされているので、レバーに各ノブを順次に組み付けていく際、作業者から目視確認が不可能でも、ロックピースが脱落するおそれがなく、確実な組立が短時間で行え、組み立て工数が低減するという効果を有する。
【図面の簡単な説明】
【００１８】
【図１】本発明の第１の実施例の構成を示す縦断面図である。
【図２】第１の実施例の分解斜視図である。
【図３】第１の実施例におけるノブを軸方向から見た図である。
【図４】第１の実施例におけるスライダブロックの外観斜視図である。
【図５】第１の実施例におけるロック／キャンセル機構を示す図である。
【図６】第１の実施例におけるロック／キャンセル機構の作用を示す説明図である。
【図７】本発明の第２の実施例の構成を示す縦断面図である。
【図８】第２の実施例の分解斜視図である。
【図９】第２の実施例におけるノブを軸方向から見た図である。
【図１０】第２の実施例におけるスライダブロックの外観斜視図である。
【図１１】第２の実施例におけるロック／キャンセル機構を示す図である。
【図１２】第２の実施例におけるロック／キャンセル機構の作用を示す説明図である。
【図１３】第２の実施例におけるロック／キャンセル機構の作用を示す説明図である。
【図１４】従来例を示す図である。
【発明を実施するための形態】
【実施例１】
【００１９】
以下、本発明を車両のステアリングコラムまわりに設置されるコンビネーションスイッチの操作レバーに適用した第１の実施例について説明する。
図１は第１の実施例の構成を示す縦断面図、図２は分解斜視図である。
操作レバー１は、先端部（外方端）を除く略全長にわたって、外筒を形成する第１レバー２の内側に第２レバー３および第３レバー４を備えた３重構造となっている。
第１レバー２はステアリングコラムに固定される不図示のスイッチケース側部材に支持され、第２レバー３は第１レバー２と一体に形成されている。  操作レバー１は、全体をスイッチケース側の支持点まわりに揺動させることにより、スイッチケース内の可動スイッチ部材を変位させ、ターンシグナル、ヘッドライト照射方向切り換え等のスイッチ操作を行なえるようになっている。
【００２０】
第２レバー３は第１レバー２の外方端の先まで延びている。
第３レバー４は第２レバー３を貫通して、スイッチケース側の一端は不図示の可動接点部材と係合し、他端は第２レバー３の外方端の先まで延びている。第３レバー４は第２レバー３に対して回動可能である。
操作レバー１の第３レバー４の先端部には、連結部材５を介して、第１の回動ノブとしてのライトスイッチノブ１０が結合され、第２レバー３の先端部には固定ノブ２０が固定され、そして第１レバー２の先端部と固定ノブ２０の間に、第２の回動ノブとしてのフォグスイッチノブ３０が第２レバー３上に回動可能に配置されている。
これにより、操作レバー１の先端から順次にライトスイッチノブ１０、固定ノブ２０、およびフォグスイッチノブ３０が隣接して並ぶことになる。
【００２１】
ライトスイッチノブ１０を回動させると、第２レバー３に対して第３レバー４が回動して、スイッチケース側の不図示の可動接点部材を操作し、テールライトおよびヘッドライトのオン、オフが切り換えられる。
本実施例ではライトスイッチノブ１０の回動位置として、「オフ」（ヘッドライトおよびテールライトオフ）、「テール」（テールライトオン）および「ヘッドライト」（ヘッドライトおよびテールライトオン）の３位置が設定される。
【００２２】
第１レバー２の先端部近傍には、第２レバー３との間の空間に固定接点盤６が設けられ、これに対向する可動接点７がフォグスイッチノブ３０に支持されて回動可能となっている。これらは図２には省略している。
固定接点盤６からの図示しない配線は第１レバー２と第２レバー３間の空間を前述のスイッチケース側の支持点方向へ延びる。これにより、フォグスイッチノブ３０の回動に応じてフォグライトのオン、オフが切り換えられる。フォグスイッチノブの回動位置として、「フォグオフ」（フォグライトオフ）および「フォグライト」（フォグライトオン）の２位置が設定されている。
【００２３】
第１レバー２の先端はその外周が段差状に切り欠かれて小径部２ａとなっている。
とくに図１に示すように、固定ノブ２０は、基本形状として、外筒２１と、第２レバー３への固定用のハブ部２３と、外筒２１とハブ部２３をつなぐディスク壁部２２からなる。外筒２１はフォグスイッチノブ３０側に小径部２１ａを備えている。
ライトスイッチノブ１０は有底筒状をなし、その開口部分に固定ノブ２０の外筒２１の内径側に進入する小径部１０ａを備えるとともに、ライトスイッチノブ１０の外周面と固定ノブ２０（外筒２１）の外周面が滑らかに連続するようになっている。
【００２４】
フォグスイッチノブ３０は、基本形状が厚肉円盤状で、固定接点盤６近傍まで延びて可動接点７を支持する延長ボス部を備え、第２レバー３上をスライド（回動）可能の中心穴を有している。また外周部の両端に固定ノブ２０の小径部２１ａを囲む張出し部と第１レバー２の小径部２ａを囲む張出し部とを備えている。操作しやすいようにフォグスイッチノブ３０の外周面は軸方向両側の固定ノブ２０および第１レバー２よりわずかに膨出している。
固定ノブ２０の軸心はライトスイッチノブ１０およびフォグスイッチノブ３０の各軸心と一致している。
【００２５】
ライトスイッチノブ１０、固定ノブ２０、およびフォグスイッチノブ３０間には、スライダブロック４０を用いたフォグスイッチノブ３０のロック／キャンセル機構が形成されている。以下、このロック／キャンセル機構について詳細に説明する。
図３の（ａ）は固定ノブ２０をライトスイッチノブ１０側から見た図である。
固定ノブ２０には、ライトスイッチノブ１０から延びるキャンセルレバー１２を通す貫通長穴２５が固定ノブ２０の軸心を中心とする弧状に設けられている。  
また、裏面（フォグスイッチノブ３０と対向する側）にはロック穴２７が設けられている。    
【００２６】
図３の（ｂ）はフォグスイッチノブ３０を固定ノブ２０側から見た図である。
フォグスイッチノブ３０の周方向の所定長さ範囲にわたっての固定ノブ２０側端面に開口するスライダブロック収納部３５が形成されている。スライダブロック収納部３５は後掲の図５の（ｂ）に示されるように、平坦な底面を有し、底面には後述するスプリング支持突部３７が設けられている。スライダブロック収納部３５の周方向両端にはスライダブロック収納部３５の開口面で閉じた軸方向の溝３６、３６が形成されている。図３の（ｂ）には一端側のみ断面で溝３６を示している。
【００２７】
図４はスライダブロック４０をロックピース５０およびリターンスプリング４８、スプリング５４とともに示す外観斜視図である。
スライダブロック４０は、全体形状が弧状の樹脂製ブロック体で、周方向一端にロックピース５０を収納保持するピース保持部４１を備え、ピース保持部４１に対して周方向に順次隣接してスプリング収納部４２（図５参照）およびカム面４３を備えている。
カム面４３は上面から軸方向に退避して、すなわち下方にオフセットして形成されており、弧の周方向すなわちキャンセルレバー１２がカム面４３上を移動する方向に沿った両端の壁面４４ａ、４４ｂに挟まれている。
カム面４３は、壁面４４ａ（スプリング収納部４２側）側の低領域４３ａ、他端の壁面４４ｂ側の高領域４３ｃ、およびこれらの間をつなぐ傾斜領域４３ｂとからなっている。
【００２８】
スライダブロック４０の底面は上面と平行で平坦である。ピース保持部４１は上面に開口し、スプリング収納部４２は底面に開口している。
なお、ここではスライダブロック収納部３５に収納されて組み込まれた状態で固定ノブ２０に対向する側を上方、反対側を下方として説明する。
【００２９】
スライダブロック４０の周方向一端（ピース保持部４１側）の外面は軸方向に平行な平坦面であるが、下側に傾斜面を備える爪４５を有している。スライダブロック４０の周方向他端（カム面４３側）の外面も同様で、爪４５を有している。スライダブロック４０をその底面を先にして固定ノブ２０側からフォグスイッチノブ３０のスライダブロック収納部３５に押し込んで組み付けた後は、爪４５はスライダブロック収納部３５の溝３６をスライドするとともに、溝３６がスライダブロック収納部３５の開口面側で閉じているため、スライダブロック４０は抜け止めされる。
なお、スライダブロック４０の軸方向高さ（上面と底面間の距離）はスライダブロック収納部３５の深さよりも小さく、スライダブロック収納部３５の深さ範囲内で所定のスライド量が得られるように設定されている。
【００３０】
ピース保持部４１は、軸に垂直な断面が矩形である穴として形成されており、内周側および外周側の壁には上下方向に延びるスリット４６が形成されている。
ロックピース５０は、ピース保持部４１の穴に対応する矩形の断面を有してスライド可能にピース保持部４１に保持され、スライダブロック４０の上面から外方に臨む先端はスライダブロックの周方向に沿う面内において滑らかな弧状をなしており、あるいは球面でもよい。
【００３１】
ロックピース５０の内周側および外周側の側面には突起５２が設けられ、ロックピース５０をピース保持部４１に押し込んで組み付けた後は、突起５２がピース保持部のスリット４６をスライドするとともに、突起５２のスライド範囲がスリット４６の上端で規制されて、ロックピース５０の抜け止めとなるように設定されている。
なお、ロックピース５０は、上記のとおり矩形の断面で基本外形が直方体であるため、ピース保持部４１の穴形状に合わせて押し込めば自動的に突起５２がスリット４６内に嵌まり込むので、突起５２とスリット４６の位置合わせが容易である。
ロックピース５０とピース保持部４１の底壁との間にはスプリング５４が設けられ、これによりロックピース５０はその先端がスライダブロック４０の上面から突出する方向に付勢される。
【００３２】
図５の（ａ）はスライダブロック収納部３５にスライダブロック４０を収納した状態を固定ノブ２０側から見た図、（ｂ）は（ａ）における周方向に沿ったＡ−Ａ部断面図である。
スライダブロック４０のスプリング収納部４２に配置されたリターンスプリング４８が、一端をスプリング収納部４２の上壁に当接させ、他端をスライダブロック収納部３５底面のスプリング支持突部３７に位置決めされて、スライダブロック４０をスライダブロック収納部３５の底面から離間させる方向に付勢している。
スライダブロック４０はこの付勢によりその爪４５がスライダブロック収納部３５の周方向両端の溝３６をスライドしてフォグスイッチノブ３０の固定ノブ２０側端面から突出するが、溝３６の上端（スライダブロック収納部３５の開口面側）は上述のように閉じているから、フォグスイッチノブ３０から脱落することはない。
【００３３】
また、ロックピース５０はスプリング５４により付勢されてスライダブロック４０の上面から突出するが、上述のように突起５２がピース保持部４１のスリット４６の端部で抜け止めされて、スライダブロック４０から脱落することはない。
したがって、フォグスイッチノブ３０については、まずスライダブロック４０にロックピース５０（およびスプリング５４）を組み付けて一次サブアセンブリとし、この一次サブアセンブリをフォグスイッチノブ３０に組み付けて二次サブアセンブリとすることができる。
【００３４】
固定ノブ２０の貫通長穴２５は、ライトスイッチノブ１０が「オフ」から「テール」を経て「ヘッドライト」位置まで回動する間、キャンセルレバー１２が貫通状態で支障なく回動可能なように、その周方向の長さが設定されている。
そして、フォグスイッチノブ３０におけるスライダブロック収納部３５の位置は、該スライダブロック収納部３５に収納されたスライダブロック４０のカム面４３が固定ノブ２０の貫通長穴２５の周方向長さに対応して、キャンセルレバー１２がライトスイッチノブ１０の回動に対応してカム面４３の周方向一端から他端までの間（すなわち、壁面４４ａ、４４ｂ間）を移動可能となるように設定されている。
【００３５】
固定ノブ２０のフォグスイッチノブ３０との対向面には、フォグスイッチノブ３０が「フォグオフ」位置にあるときのロックピース５０と対向する位置にロック穴２７が設けてあり、フォグスイッチノブ３０の端面から突出するロックピース５０の先端がロック穴２７と係合可能となっている。
【００３６】
各レバーへの取り付けは、まず第２レバー３上に回動可能に、スライダブロック４０を組み込んで二次サブアセンブリとしたフォグスイッチノブ３０を取り付け、次に固定ノブ２０を第２レバー３に固定し、それから第２レバー３の先端から突出する第３レバー４に連結部材５とともにライトスイッチノブ１０を固定する。
なお、各ノブ間にはライトスイッチノブ１０、フォグスイッチノブ３０の回動位置ごとに当該位置を保持する公知のクリック機構を設けることができるが、ここでは図示省略している。      
【００３７】
図６は上述したロック／キャンセル機構の動作過程を示す図である。図６は図５の（ｂ）に相当する断面図であるが、ライトスイッチノブ１０の一部と固定ノブ２０とが併せて示されている。
ここでは便宜のため、必要に応じて、固定ノブ２０のライトスイッチノブ１０側を上方、フォグスイッチノブ３０側を下方として説明する。
図６の（ａ）はライトスイッチノブ１０とフォグスイッチノブ３０がそれぞれ「オフ」、「フォグオフ」位置にある状態を示す。
ライトスイッチノブ１０のキャンセルレバー１２が、固定ノブ２０の貫通長穴２５を貫通し、スライダブロック４０の壁面４４ａに接して位置し、カム面の低領域４３ａを押圧している。スライダブロック４０はリターンスプリング４８に抗して押下げられ、上面が固定ノブ２０の下面と面一またはわずかな間隙をもって実質面一となっている。
【００３８】
なお、キャンセルレバー１２がカム面の低領域４３ａを押圧しているが、スライダブロック４０の上面が固定ノブ２０の下面に規制されて、キャンセルレバー１２の先端（下端）とカム面の低領域４３ａとの間にはわずかな間隙があってもよい。いずれにおいても、スライダブロック４０はその下面とスライダブロック収納部３５底面との間に所定の間隙を残した高位置にある。したがってここでは、両者を含んで、スライダブロックの高位置状態と呼ぶ。
スライダブロック４０の上面から突出したロックピース５０の先端は固定ノブ２０のロック穴２７に進入しており、これにより、フォグスイッチノブ３０はロックされて回動することはできない。
【００３９】
ライトスイッチノブ１０を「テール」位置へ回動すると、図６の（ｂ）に示す状態となる。なお、図中の単線矢示は直前の状態からの回動方向を示す。
ライトスイッチノブ１０のキャンセルレバー１２は固定ノブ２０の貫通長穴２５の周方向中間へ移動するが、キャンセルレバー１２の先端は依然としてカム面の低領域４３ａにあって、スライダブロック４０は高位置状態を継続している。
したがって、ライトスイッチノブ１０が「オフ」位置にあるときと同じく、フォグスイッチノブ３０はロックされて、「フォグオフ」から「フォグライト」位置へ回動させることができない。
【００４０】
図６の（ｃ）はライトスイッチノブ１０を「ヘッドライト」位置に回動した状態を示す。
キャンセルレバー１２は固定ノブ２０の貫通長穴２５を貫通し、カム面の傾斜領域４３ｂを経て高領域４３ｃへ移動して、壁面４４ｂに当接または接近する。キャンセルレバー１２による押圧位置がカム面の高領域４３ｃに移動すると、スライダブロック４０は、押下げられて、スライダブロック４０の上面と固定ノブ２０の下面との間に間隙ｓを形成した低位置状態へ変位する。
ロックピース５０はスプリング５４により付勢されてスライダブロック４０の上面から突出しているが、脱落しないように突起５２によりピース保持部４１から抜け止め状態にスライダブロック４０に保持されている構成のため、ロックピース５０はスライダブロックと一体に下方へ変位する。これにより、ロックピース５０の先端が固定ノブ２０のロック穴２７から抜け出て、ロックが解除される。
【００４１】
したがって、フォグスイッチノブ３０はもはや移動を阻止されないから、「フォグオフ」位置から「フォグライト」位置へ回動可能となる。
なお、スライダブロック４０の下方への変位量は、ロックピース５０がロック穴２７内に進入していた長さ以上であることが望ましいが、それより短くても、ロックピース５０の先端の弧状斜面によってフォグスイッチノブ３０の回動時に接触するロック穴２７の開口縁で滑らかに押下げられる関係にあればよい。
【００４２】
このあと「フォグオフ」位置から「フォグライト」位置へ回動する際には、まず、スライダブロック４０と一体に下方へ移動したロックピース５０は間隙ｓが形成されている固定ノブ４０の下面下に入り込む。フォグスイッチノブ３０の回動が進むにつれて、キャンセルレバー１２は相対的にカム面の傾斜領域４３ｂを経て低領域４３ａへ移動する。
この結果、スライダブロック４０はリターンスプリング４８により上方へ変位するが、スライダブロック４０に保持されたロックピース５０はすでにロック穴２７から外れているので、ロックピース５０はスプリング５４を圧縮して先端を固定ノブ２０の下面に滑らせながら移動する。
【００４３】
図６の（ｄ）はライトスイッチノブ１０が「ヘッドライト」位置にあり、フォグスイッチノブ３０を「フォグライト」位置へ回動した状態を示す。
以上のように、ライトスイッチノブ１０が先ず「ヘッドライト」位置まで回動されてヘッドライトが点灯すると、フォグスイッチノブ３０を「フォグライト」位置へ回動させてフォグライトを点灯させることができる。
なお、立上り壁４４はキャンセルレバー１２から離間する。
【００４４】
図６の（ｅ）は、ヘッドライトとフォグライトとが点灯している状態から、ライトスイッチノブ１０を「テール」位置へ回動した状態を示す。
キャンセルレバー１２はスライダブロック４０の壁面４４ａに接近した位置に来るが、フォグスイッチノブ３０はライトスイッチノブ１０の回動に影響を受けず、ロックピース５０の位置も（ｄ）と変わらない。
【００４５】
図６の（ｅ）の状態から、さらにライトスイッチノブ１０を「オフ」位置へ回動させると、キャンセルレバー１２が壁面４４ａに当接してスライダブロック４０を周方向（図中左方）へ押し、フォグスイッチノブ３０を回動させ「フォグオフ」位置まで戻す。
これにより、（ａ）の状態に復帰する。すなわち、ライトスイッチノブ１０を「オフ」位置へ回動させると、連動してフォグスイッチノブ３０が「フォグオフ」位置まで戻され、自動的に「フォグライト」が消灯される。
【００４６】
なお、ヘッドライトが点灯している図６の（ｄ）の状態、あるいはテールライトが点灯している図６の（ｅ）の状態からフォグスイッチノブ３０だけを「フォグオフ」位置へ戻すことは、スライダブロック４０の壁面４４ａがキャンセルレバー１２から離間するだけであるから、何らの支障なく可能である。
【００４７】
本実施例では、操作レバー１が発明におけるレバーに、ライトスイッチノブ１０が第１の回動ノブに、フォグスイッチノブ３０が第２の回動ノブにそれぞれ該当する。
また、「オフ」位置が発明における第１の回動ノブの第１のスイッチ位置に、「ヘッドライト」位置が第１の回動ノブの所定のスイッチ位置にそれぞれ対応し、「フォグオフ」位置が第２の回動ノブの第１のスイッチ位置に、「フォグライト」位置が第２の回動ノブの第２のスイッチ位置に対応している。
キャンセルレバー１２とカム面４３とで発明におけるカム機構を構成し、スライダブロック４０の壁面４４ａをキャンセルレバー１２で押す構造が戻し機構を形成している。
ロックピース５０の突起５２がスライドするロックピース保持部４１のスリット４６におけるロックピース保持部４１の開口側を閉じた構造が発明におけるロックピースの抜け止め手段を形成し、スライダブロック４０の突起４５がスライドするスライダブロック収納部３５の溝３６におけるスライダブロック収納部３５の開口側を閉じた構造がスライダブロックの抜け止め手段を形成している。
【００４８】
本実施の形態は以上のように構成され、
フォグスイッチノブ３０には軸方向に変位可能にスライダブロック４０を保持し、スライダブロック４０に形成されたカム面４３とライトスイッチノブ１０から固定ノブの貫通穴２５を通って先端をカム面４３に当接させたキャンセルレバー１２とによりライトスイッチノブ１０とスライダブロック４０の相対回動に応じてスライダブロック４０を軸方向に変位させるようにし、
スライダブロック４０には、固定ノブ２０に向けて突出方向に付勢されたロックピース５０が抜け止めされて保持され、
固定ノブ２０にはロックピース５０と係合可能なロック穴２７を備えて、ライトスイッチノブ１０が「ヘッドライト」位置以外にあるときはスライダブロック４０を固定ノブ２０側に変位させてロックピース５０がロック穴２７に係合し、ライトスイッチノブ１０が「ヘッドライト」位置にあるときにスライダブロック４０を固定ノブ２０から離間する側に変位させてロックピースがロック穴との係合から解放されるものとした。
【００４９】
これにより、ライトスイッチノブ１０が「ヘッドライト」位置以外にあるときはロックされてフォグスイッチノブ３０を回動できず、「フォグライト」位置にすることができないから、フォグライトのみを単独で点灯させて後刻消灯忘れを招くようなおそれが解消される。
【００５０】
そして、ロックピース５０はスライダブロック４０から突出方向に付勢されているが、スライダブロックに抜け止めされているので、レバーに各ノブを順次に組み付けていく際、固定ノブ２０の裏面側になって目視確認が不可能でも、ロックピース５０やこれを付勢するスプリングなどの小部品が脱落するおそれがなく、確実な組立が短時間で行え、組み立て工数が低減するという効果を有する。
【００５１】
また、フォグスイッチノブ３０が「フォグライト」位置にある場合、ライトスイッチノブ１０を「オフ」位置へ回動する際に、キャンセルレバー１２がスライダブロック４０における壁面４４ａを押すことにより、スライダブロック４０を保持するフォグスイッチノブ３０を「フォグオフ」位置へ回動させるようにしたので、ライトスイッチノブ１０を「ヘッドライト」位置にすることによりロックが解除されてフォグスイッチノブ３０を「フォグライト」位置へ回動したあとは、フォグライトを点灯させたことが忘れられていても、ライトスイッチノブ１０を「オフ」位置へ回動する際に自動的にフォグライトも消灯される。
【００５２】
そして、ロックピース５０の抜け止めについては、スライダブロック４０が穴形状のロックピース保持部４１を備え、ロックピース保持部４１の壁には軸方向のスリット４６が設けられ、ロックピース５０は側面に突起５２を備えて、この突起５２がスリット４６をスライドするようにロックピース保持部４１に組み付けられ、スリット４６はロックピース保持部４１の開口側が閉じているので、簡単な構成でロックピース５０の脱落を禁止する。
【００５３】
また、本実施例では、カム面４３がスライダブロック４０の固定ノブ２０に対向する上面から軸方向に退避した底部に形成され、ライトスイッチノブ１０を「オフ」位置へ回動する際にキャンセルレバー１２が押す壁面４４ａは、スライダブロック４０における上記固定ノブ２０に対向する上面からカム面４３が位置する底部を結ぶ壁面としているので、フォグスイッチノブ３０を「フォグオフ」位置へ戻すために専用の壁面を別途設ける必要がなく、簡単な構造で実現できる。
【００５４】
さらに、スライダブロック４０は、フォグスイッチノブ３０に形成されたスライダブロック収納部３５に収納され、スライダブロック収納部３５の側壁には軸方向の溝３６が設けられ、スライダブロック４０は側面に突起４５を備えて、該突起４５が溝３６をスライドするようにスライダブロック収納部３５に組み付けられ、溝３６におけるスライダブロック収納部３５の開口側が閉じて、スライダブロック４０の抜け止めとなっているので、レバーへのノブ組み付けに際してスライダブロック４０の脱落も心配することなく作業ができる。
【実施例２】
【００５５】
つぎに、本発明の第２の実施例について説明する。第２の実施例も車両のステアリングコラムまわりに設置されるコンビネーションスイッチの操作レバーに適用したものである。
図７は第２の実施例の構成を示す縦断面図、図８は分解斜視図である。
操作レバー１’では、第１の実施例と同様に、第２レバー３が第１レバー２の外方端の先まで延びている。
第３レバー４は第２レバー３を貫通して、スイッチケース側の一端は不図示の可動接点部材と係合し、他端は第２レバー３の外方端の先まで延びている。第３レバー４は第２レバー３に対して回動可能である。
【００５６】
操作レバー１’の第３レバー４の先端部には、連結部材５’を介して、第１の回動ノブとしてのライトスイッチノブ６０が結合され、第２レバー３の先端部には固定ノブ７０が固定され、そして第１レバー２の先端部と固定ノブ７０の間に、第２の回動ノブとしてのフォグスイッチノブ８０が第２レバー３上に回動可能に配置されている。
これにより、操作レバー１’の先端から順次にライトスイッチノブ６０、固定ノブ７０、およびフォグスイッチノブ８０が隣接して並ぶことになる。
【００５７】
ライトスイッチノブ６０を回動させると、第２レバー３に対して第３レバー４が回動して、スイッチケース側の不図示の可動接点部材を操作し、テールライトおよびヘッドライトのオン、オフが切り換えられる。本実施の形態ではライトスイッチノブ６０の回動位置として、「オフ」（ヘッドライトおよびテールライトオフ）、「テール」（テールライトオン）および「ヘッドライト」（ヘッドライトおよびテールライトオン）の３位置が設定される。
【００５８】
第１レバー２の先端部近傍には、第２レバー３との間の空間に固定接点盤６が設けられ、これに対向する可動接点７がフォグスイッチノブ８０に支持されて回動可能となっている。これらは図８には省略している。
固定接点盤６からの図示しない配線は第１レバー２と第２レバー３間の空間を前述のスイッチケース側の支持点方向へ延びる。これにより、フォグスイッチノブ８０の回動に応じてフォグライトのオン、オフが切り換えられる。フォグスイッチノブ８０の回動位置として、「フォグオフ」（フォグライトオフ）および「フォグライト」（フォグライトオン）の２位置が設定されている。
【００５９】
第１レバー２の先端はその外周が段差状に切り欠かれて小径部２ａとなっている。
とくに図７に示すように、固定ノブ７０は基本形状が厚肉円盤状で、外周にはライトスイッチノブ６０側に張出し部７１ａ、フォグスイッチノブ８０側に小径部７１ｂを備えている。
ライトスイッチノブ６０は有底筒状をなし、その開口部分に固定ノブ７０の張出し部７１ａの内径側に進入する小径部６０ａを備えるとともに、ライトスイッチノブ６０の外周面と固定ノブ７０の外周面が滑らかに連続するようになっている。
【００６０】
フォグスイッチノブ８０は、基本形状として、外筒８１と、第２レバー３への固定用のハブ部８３と、外筒８１とハブ部８３をつなぐディスク壁部８２からなり、第２レバー３上を回動可能の中心穴を有している。ハブ部８３は固定接点盤６近傍まで延びて可動接点７を支持する。
ディスク壁部８２の固定ノブ７０側端面には、中心穴と同心の扇形凹部８６が形成され、中心側は中心穴に開口している。
また外筒８１の両端は、固定ノブ７０の小径部７１ｂと第１レバー２の小径部２ａに被さって囲み、これによりフォグスイッチノブ８０の外周面は軸方向両側の固定ノブ７０および第１レバー２よりわずかに膨出している。
固定ノブ７０の軸心はライトスイッチノブ６０およびフォグスイッチノブ８０の各軸心と一致している。
【００６１】
ライトスイッチノブ６０、固定ノブ７０、およびフォグスイッチノブ８０間には、スライダブロック９０を用いたフォグスイッチノブ８０のロック／キャンセル機構が形成されている。以下、このロック／キャンセル機構について詳細に説明する。
図９の（ａ）は、ライトスイッチノブ６０の開口端を固定ノブ７０側から見た図、（ｂ）は（ａ）におけるＢ矢視図である。
ライトスイッチノブ６０の開口端には、後述するスライダブロック９０のカムフォロワ９３に対応させたリリースカム６５が形成されている。とくに図９の（ｂ）に示すように、リリースカム６５はライトスイッチノブ６０の端面ｔから軸方向に固定ノブ７０側へ突出して形成された高領域６５ｃを含み、高領域６５ｃに隣接する端面ｔの一部を低領域６５ａとし、高領域６５ｃと低領域６５ａの間が傾斜領域６５ｂとなっている。
【００６２】
図９の（ｃ）は、固定ノブ７０をライトスイッチノブ６０側から見た図である。
固定ノブ７０には、その周方向の所定長さ範囲にわたってライトスイッチノブ６０側端面に開口する弧状のスライダブロック収納部７５が形成されている。
スライダブロック収納部７５は、平坦な底面を有し、底面には後述するスプリング支持突部７７が設けられている。周方向両端の側壁にはスライダブロック収納部の開口面側で閉じた軸方向の溝７６、７６が形成されている。図９の（ｃ）には一端側のみ断面で溝７６を示している。
スライダブロック収納部７５の底面には、後述のスライダブロック９０のピース保持部９１の開口まわりを受入可能な窓７９が設けられている。
【００６３】
図９の（ｄ）はフォグスイッチノブ８０を固定ノブ７０側から見た図である。
フォグスイッチノブ８０のディスク壁部８２の固定ノブ７０側端面には、フォグスイッチノブ８０が「フォグオフ」位置にあるときの後述するロックピース５０と対向する位置にロック穴８５が設けてある。
同じくディスク壁部８２には前述のとおり中心穴と同心の扇形凹部８６が形成されている。そして、第３レバー４にはリリースピン１５が径方向に延びて扇形凹部８６内に臨むように結合されている。
【００６４】
ライトスイッチノブ６０と一体に第３レバー４が回動すると、リリースピン１５が扇形凹部８６内で、当該扇形凹部８６を区画する周方向両端の端壁８７、８８間を移動する。
第２レバー３には、リリースピン１５の移動を可能にする開口が設けられている。
なお、リリースピン１５は、第２レバー３上にフォグスイッチノブ８０を組み込んだ後、第３レバー４に結合する組み付け順序となるが、必要に応じてフォグスイッチノブ８０の外周面から第３レバー４のリリースピン結合孔に向けてリリースピン１５を挿入できるように、フォグスイッチノブ８０の外周面から扇形凹部８６へ貫通する作業孔を設けることができる。
【００６５】
図１０はスライダブロック９０をロックピース５０およびリターンスプリング９８、スプリング５４とともに示す外観斜視図である。
なお、ここではスライダブロック９０がスライダブロック収納部７５に収納されて組み込まれた状態でライトスイッチノブ６０に対向する側を上方、反対側を下方として説明する。
スライダブロック９０は、全体形状が弧状の樹脂製で、周方向一端側にロックピース５０を収納保持するピース保持部９１を備え、ピース保持部９１に対して周方向に離間させてスプリング収納部９２およびカムフォロワ９３を備えている。
【００６６】
スライダブロック９０の上面は平坦である。ピース保持部９１とスプリング収納部９２はいずれも下方に開口しているが、ピース保持部９１が開口する底面９０ａはスプリング収納部９２が開口する底面９０ｂよりも低い。すなわち、上面と底面間の距離はピース保持部９１側の方が、固定ノブ７０におけるスライダブロック収納部７５の底壁７８の板厚分よりも大きく設定されている。
ピース保持部９１が開口する底面９０ａおよびスプリング収納部９２が開口する底面９０ｂはそれぞれ上面と平行かつ平坦である。
カムフォロワ９３は、スプリング収納部９２近傍において上面に形成され、先端は球面をなしている。
【００６７】
スライダブロック９０の周方向一端（ピース保持部９１側）の外面は軸方向に平行な平坦面であるが、下側に傾斜面を備える爪９５を有している。スライダブロック９０の周方向他端（スプリング収納部９２側）の外面も同様で、爪９５を有している。スライダブロック９０をその底面を先にして固定ノブ７０のスライダブロック収納部７５に押し込んで組み付けた後は、爪９５はスライダブロック収納部７５の溝７６をスライドするとともに、溝７６がスライダブロック収納部７５の開口面側で閉じているため、スライダブロック９０は抜け止めされる。
【００６８】
ピース保持部９１は、前実施例のピース保持部４１と同じく、軸に垂直な断面が矩形である穴として形成されており、内周側および外周側の壁には上下方向に延びるスリット９６が形成されている。
ロックピース５０は、前実施例におけるものと同じで、スライド可能にピース保持部９１に保持される。ロックピース５０とピース保持部９１の上壁との間にはスプリング５４が設けられ、これによりロックピース５０はその先端がスライダブロック９０の底面から突出する方向に付勢される。
ロックピース５０をピース保持部９１に押し込んで組み付けた後は、突起５２がピース保持部のスリット９６をスライドするとともに、突起５２のスライド範囲がスリット９６の下端で規制されて、ロックピース５０の抜け止めとなるように設定されている。
【００６９】
図１１の（ａ）はスライダブロック収納部７５にスライダブロック９０を収納した状態の固定ノブ７０をライトスイッチノブ６０側から見た図、（ｂ）は（ａ）における周方向に沿ったＣ−Ｃ部断面図である。
スライダブロック９０のスプリング収納部９２に配置されたリターンスプリング９８が、一端をスプリング収納部９２の上壁に当接させ、他端をスライダブロック収納部７５底面のスプリング支持突部７７に位置決めされて、スライダブロック９０をスライダブロック収納部７５の底面から離間させる方向に付勢している。
スライダブロック９０はこの付勢によりその爪９５がスライダブロック収納部７５の周方向両端の溝７６をスライドして固定ノブ７０のライトスイッチノブ６０側端面から突出するが、溝７６の上端（スライダブロック収納部７５の開口面側）は上述のように閉じているから、固定ノブ７０から脱落することはない。
【００７０】
また、ロックピース５０はスプリング５４により付勢されてスライダブロック９０の底面９０ａから突出するが、上述のように突起５２がピース保持部９１のスリット９６の端部で抜け止めされて、スライダブロック９０から脱落することはない。
したがって、固定ノブ７０については、まずスライダブロック９０にロックピース５０（およびスプリング５４）を組み付けて一次サブアセンブリとし、この一次サブアセンブリを固定ノブ７０に組み付けて二次サブアセンブリとすることができる。
【００７１】
各レバーへの取り付けは、まず第２レバー３上に回動可能にフォグスイッチノブ８０を取り付け、リリースピン１５を第３レバー４に取付け、次にスライダブロック９０を組み込んで二次サブアセンブリとした固定ノブ７０を第２レバー３に固定し、それから第２レバー３の先端から突出する第３レバー４に連結部材５’とともにライトスイッチノブ６０を固定する。
各ノブ間にはライトスイッチノブ６０、フォグスイッチノブ８０の回動位置ごとに当該位置を保持する公知のクリック機構を設けることができる。
【００７２】
図１２、図１３は上述したロック／キャンセル機構の動作過程を示す図である。図１２は図１１の（ｂ）に相当する断面図であるが、ライトスイッチノブ６０とフォグスイッチノブ８０の各一部が併せて示されている。ここでは便宜のため、必要に応じて、固定ノブ７０のライトスイッチノブ６０側を上方、フォグスイッチノブ８０側を下方として説明する。
また、図１３はフォグスイッチノブ８０の扇形凹部８６とリリースピン１５の相対関係を示す。
【００７３】
まず、ライトスイッチノブ６０とフォグスイッチノブ８０がそれぞれ「オフ」、「フォグオフ」位置にある状態を、図１２、図１３の各（ａ）に示す。
図１２の（ａ）のように、ライトスイッチノブ６０のリリースカム６５の高領域６５ｃが、スライダブロック９０のカムフォロワ９３に対向してこれを押圧し、スライダブロック９０はスライダブロック収納部７５内でリターンスプリング９８に抗して押下げられる。
これにより、ピース保持部９１が開口する底面９０ａが固定ノブ７０の窓７９に入ってフォグスイッチノブ８０の端面（すなわちディスク壁部８２の固定ノブ７０に対向する面）と面一またはわずかな間隙をもって実質面一となった低位置状態となっている。
【００７４】
そしてスライダブロック９０の底面９０ａから突出したロックピース５０の先端はフォグスイッチノブ８０のロック穴８５に進入しており、これにより、フォグスイッチノブ８０はロックされて回動することはできない。
一方、図１３の（ａ）のように、第３レバー４を介してライトスイッチノブ６０と一体回動するリリースピン１５は、フォグスイッチノブ８０の扇形凹部８６の端壁８７に接触状態で沿う位置にある。
【００７５】
ライトスイッチノブ６０を「テール」位置へ回動すると、図１２、図１３の各（ｂ）に示す状態となる。なお、図中の単線矢示は直前の状態からの回動方向を示す。
ライトスイッチノブ６０のリリースカム６５が移動するが、依然として高領域６５ｃがカムフォロワ９３に対向しており、スライダブロック９０は低位置状態を継続している。
したがって、ライトスイッチノブ１０が「オフ」位置にあるときと同じく、フォグスイッチノブ３０はロックされて、「フォグオフ」から「フォグライト」位置へ回動させることができない。
このとき、リリースピン１５は扇形凹部８６の端壁８７、８８間の略中間位置に移動している。
【００７６】
つぎに、図１２、図１３の各（ｃ）は、ライトスイッチノブ６０を「ヘッドライト」位置に回動した状態を示す。
ライトスイッチノブ６０と一体回動するリリースピン１５は、扇形凹部８６の端壁８８近傍まで移動する。
一方、とくに図１２の（ｃ）のように、リリースカム６５はその傾斜領域６５ｂを経て低領域６５ａがカムフォロワ９３に対向する位置へ移動する。
リターンスプリング９８に付勢されているスライダブロック９０は、低領域６５ａと高領域６５ｃの高さの差分だけ上方へ移動し、スライダブロック９０の底面９０ａとフォグスイッチノブ８０の上面との間に間隙ｓを形成した高位置状態へ変位する。
ロックピース５０はスプリング５４により付勢されてスライダブロック９０の底面９０ａから突出しているが、脱落しないように突起５２によりピース保持部９１から抜け止め状態にスライダブロック９０に保持されている構成のため、ロックピース５０はスライダブロック９０と一体に上方へ変位する。これにより、ロックピース５０の先端がフォグスイッチノブ８０のロック穴８５から抜け出て、ロックが解除される。
【００７７】
したがって、フォグスイッチノブ８０はもはや移動を阻止されないから、「フォグオフ」位置から「フォグライト」位置へ回動可能となる。
なお、スライダブロック９０の上方への変位量は、ロックピース５０がロック穴８５内に進入していた長さ以上であることが望ましいが、それより短くても、ロックピース５０の先端の弧状斜面によってフォグスイッチノブ８０の回動時に接触するロック穴８５の開口縁で滑らかに押上げられる関係にあればよい。
【００７８】
ライトスイッチノブ６０を「ヘッドライト」位置にして、フォグスイッチノブ８０を「フォグライト」位置へ回動すると、図１２、図１３の各（ｄ）に示す状態となる。
この間、第３レバー４と連結部材５’とを介してライトスイッチノブ６０に連結されたリリースピン１５は移動しないが、フォグスイッチノブ８０の回動により扇形凹部８６が移動して相対的に扇形凹部８６の端壁８７、８８間の中間位置となるだけで、フォグスイッチノブ８０の回動に影響を与えない。  以上のように、ライトスイッチノブ６０が先ず「ヘッドライト」位置まで回動されてヘッドライトが点灯すると、フォグスイッチノブ８０を「フォグライト」位置へ回動させてフォグライトを点灯させることができる。
【００７９】
つぎに、ヘッドライトとフォグライトとが点灯している状態から、ライトスイッチノブ６０を「テール」位置へ回動すると、図１２、図１３の各（ｅ）に示す状態となる。
リリースカム６５が移動してその高領域６５ｃがカムフォロワ９３に対向する位置に来る。スライダブロック９０は、押下げられて低位置状態へ変位する。
この際、スライダブロック９０の底面９０ａから下方に突出していたロックピース５０は、フォグスイッチノブ８０の上面に当接してスプリング５４を圧縮しながらピース保持部９１内に押し込まれる。
一方、リリースピン１５はライトスイッチノブ６０の回動とともに、扇形凹部８６内の中間位置から端壁８７に当接または近傍位置へ移動する。
したがって、フォグスイッチノブ８０はライトスイッチノブ６０の回動に影響を受けず、フォグライトの点灯状態が継続する。
【００８０】
この状態から、さらにライトスイッチノブ６０を「オフ」位置へ回動させると、
扇形凹部８６の端壁８７に対し当接または近傍位置にあったリリースピン１５が、ライトスイッチノブ６０の回動に伴って端壁８７を押し、フォグスイッチノブ８０を回動させ「フォグオフ」位置まで戻す。
これにより、図１２、図１３の各（ａ）に示した状態に復帰する。すなわち、ライトスイッチノブ６０を「オフ」位置へ回動させると、連動してフォグスイッチノブ８０が「フォグオフ」位置まで戻され、自動的に「フォグライト」が消灯される。
【００８１】
なお、ヘッドライトが点灯している図１２、図１３の各（ｄ）の状態、およびテールライトが点灯している各（ｅ）の状態からフォグスイッチノブ８０だけを「フォグオフ」位置へ戻すことは、フォグスイッチノブ８０の端壁８８がリリースピン１５から離間しているため、何らの支障なく可能である。
【００８２】
本実施の形態では、操作レバー１’が発明におけるレバーに該当し、とくに第２レバー３が第１のレバーに相当し、第３レバー４が第２のレバーに相当している。そして、ライトスイッチノブ６０が第１の回動ノブに、フォグスイッチノブ８０が第２の回動ノブにそれぞれ該当する。  また、「オフ」位置が発明における第１の回動ノブの第１のスイッチ位置に、「ヘッドライト」位置が第１の回動ノブの所定のスイッチ位置にそれぞれ対応し、「フォグオフ」位置が第２の回動ノブの第１のスイッチ位置に、「フォグライト」位置が第２の回動ノブの第２のスイッチ位置に対応している。
リリースカム６５がカム面に該当し、リリースカム６５とカムフォロワ９３とで発明におけるカム機構を形成し、フォグスイッチノブ８０における扇形凹部８６の壁面８７をリリースピン１５で押す構造が戻し機構を形成している。  ロックピース５０の突起５２がスライドするロックピース保持部９１のスリット９６におけるロックピース保持部９１の開口側を閉じた構造が発明におけるロックピースの抜け止め手段を形成し、スライダブロック９０の突起９５がスライドするスライダブロック収納部７５の溝７６におけるスライダブロック収納部７５の開口側を閉じた構造がスライダブロックの抜け止め手段を形成している。
【００８３】
第２の実施例は以上のように構成され、
固定ノブ７０に軸方向に変位可能にスライダブロック９０を保持し、
ライトスイッチノブ６０に形成したリリースカム６５とスライダブロック９０に設けたカムフォロワ９３とで、ライトスイッチノブ６０とスライダブロック９０の相対回動に応じてスライダブロック９０を軸方向に変位させるようにし、
スライダブロック９０には、フォグスイッチノブ８０に向けて突出方向に付勢されたロックピース５０が抜け止めされて保持され、
フォグスイッチノブ８０にはスライダブロック９０から突出するロックピース５０と係合可能なロック穴８５を備えて、ライトスイッチノブ６０が「ヘッドライト」位置以外にあるときはスライダブロック９０をフォグスイッチノブ８０側に変位させてロックピース５０がロック穴８５に係合し、ライトスイッチノブ６０が「ヘッドライト」位置にあるときはスライダブロック９０をフォグスイッチノブ８０から離間する側に変位させて、ロックピース５０がロック穴８５との係合から解放されるものとした。
【００８４】
これにより、ライトスイッチノブ６０が「ヘッドライト」位置以外にあるときはロックされてフォグスイッチノブ８０を回動できず、「フォグライト」位置にすることができないから、フォグライトのみを単独で点灯させて後刻消灯忘れを招くようなおそれが解消される。
【００８５】
そして、ロックピース５０はスライダブロック９０から突出方向に付勢されているが、スライダブロック９０に抜け止めされているので、レバーに各ノブを順次に組み付けていく際、固定ノブ７０の裏面側になって目視確認が不可能でも、ロックピース５０やこれを付勢するスプリングなどの小部品が脱落するおそれがなく、確実な組立が短時間で行え、組み立て工数が低減するという効果を有する。
【００８６】
また、フォグスイッチノブ８０が「フォグライト」位置にある場合、ライトスイッチノブ６０を「オフ」位置へ回動する際に、リリースピン１５がフォグスイッチノブ８０の壁面８７を押すことにより、フォグスイッチノブ８０を「フォグオフ」位置へ回動させるようにしたので、ライトスイッチノブ６０を「ヘッドライト」位置にすることによりロックが解除されてフォグスイッチノブ８０を「フォグライト」位置へ回動したあとは、ライトスイッチノブ６０を「オフ」位置へ回動する際に、フォグスイッチノブ８０も「フォグオフ」位置へ強制的に回動されるので、フォグライトを点灯させたことが忘れられていても、自動的にフォグライトも消灯される。
【００８７】
そして、ロックピース５０の抜け止めについては、スライダブロック９０が穴形状のロックピース保持部９１を備え、ロックピース保持部９１の壁には軸方向のスリット９６が設けられ、ロックピース５０は側面に突起５２を備えて、この突起５２がスリット９６をスライドするようにロックピース保持部９１に組み付けられ、スリット９６はロックピース保持部９１の開口側が閉じているので、簡単な構成でロックピース５０の脱落を禁止する。
【００８８】
また、本実施例では、フォグスイッチノブ８０における固定ノブ７０に対向する面に扇形凹部８６を形成し、この扇形凹部８６を画成する回動方向の壁面８７を、ライトスイッチノブ６０を「オフ」位置へ回動する際にリリースピン１５が押す壁面としているので、簡単な構造でフォグスイッチノブ８０の「フォグオフ」位置への強制回動を実現できる。
なお、扇形凹部８６はフォグスイッチノブ８０における固定ノブ７０に対向する面に限定されず、固定ノブ７０とは反対側の面に形成してもよく、この場合にはハブ部８３を一部切り欠くことによりリリースピン１５を第３レバー４から当該扇形凹部内へ延ばすことができる。
【００８９】
また、第２の実施例ではリリースカム６５をライトスイッチノブ６０に形成し、カムフォロワ９３をスライダブロック９０に設けたが、これとは反対に、リリースカム６５をスライダブロック９０に形成し、カムフォロワ９３をライトスイッチノブ６０に設けてもよい。
さらに、スライダブロック９０は、固定ノブ７０に形成されたスライダブロック収納部７５に収納され、スライダブロック収納部７５の側壁には軸方向の溝７６が設けられ、スライダブロック９０は側面に突起９５を備えて、該突起９５が溝７６をスライドするようにスライダブロック収納部７５に組み付けられ、溝７６におけるスライダブロック収納部７５の開口側が閉じて、スライダブロック９０の抜け止めとなっているので、レバーへのノブ組み付けに際してスライダブロック９０の脱落も心配することなく作業ができる。
【００９０】
なお、各実施例におけるロックピース５０は、図示では基本外形を直方体としひとつの断面において先端を弧状としたが、これに限定されず、外形を円柱状として先端を球面等にすることもできる。
また、各実施例では、ライトスイッチノブ１０、６０を連結部材５、５’を介して第３レバー４に結合するものとしているが、ライトスイッチノブ１０、６０は直接第３レバー４に結合するようにしてもよい。
【００９１】
さらに、各実施例は車両用の操作レバーに適用し、第１の回動ノブとしてライトスイッチノブ１０、６０を所定のスイッチ位置として「オフ」から２つ目の「ヘッドライト」位置まで回動させたとき初めて第２の回動ノブとしてのフォグスイッチノブ３０、８０を回動可能にするものとしたが、第２の回動ノブを回動可能とする第１の回動ノブのスイッチ位置は２つ目に限定されない。
【産業上の利用可能性】
【００９２】
本発明は車両用の操作レバーをはじめ、他の種々のスイッチレバーに適用することができ、その組立作業が容易である点で有用である。
【符号の説明】
【００９３】
１、１’    操作レバー（レバー）
２    第１レバー
３    第２レバー（第１のレバー）
４    第３レバー（第２のレバー）
５、５’    連結部材
１０、６０    ライトスイッチノブ（第１の回動ノブ）  １２    キャンセルレバー
１５    リリースピン
２０、７０    固定ノブ  ２１    外筒
２２    ディスク壁部
２３    ハブ部
２５    貫通長穴
２７、８５    ロック穴
３０、８０    フォグスイッチノブ（第２の回動ノブ）  ３５、７５    スライダブロック収納部
３６、７６    溝
４０、９０    スライダブロック
４１、９１    ピース保持部
４２、９２    スプリング収納部
４３    カム面
４３ａ    低領域
４３ｂ    傾斜領域
４３ｃ    高領域
４４ａ、４４ｂ    壁面
４５、９５    爪
４６、９６    スリット
４８、９８    リターンスプリング
５０    ロックピース
５４    スプリング
５２    突起
６５    リリースカム（カム面）
６５ａ    低領域
６５ｂ    傾斜領域
６５ｃ    高領域
７８    底壁
７９    窓
８１    外筒
８２    ディスク壁部
８３    ハブ部
８６    扇形凹部
８７、８８    端壁
９３    カムフォロワ
【図１】
2010282875.tif 000003
【図２】
2010282875.tif 000004
【図３】
2010282875.tif 000005
【図４】
2010282875.tif 000006
【図５】
2010282875.tif 000007
【図６】
2010282875.tif 000008
【図７】
2010282875.tif 000009
【図８】
2010282875.tif 000010
【図９】
2010282875.tif 000011
【図１０】
2010282875.tif 000012
【図１１】
2010282875.tif 000013
【図１２】
2010282875.tif 000014
【図１３】
2010282875.tif 000015
【図１４】
2010282875.tif 000016